(57)【特許請求の範囲】
【請求項１】
放送されている放送番組を受信し、再生する携帯端末装置であって、
上記放送番組の受信品質を測定する受信品質測定手段と、
上記測定された受信品質をユーザに通知する受信品質通知手段とを備え、
上記測定された受信品質の過去の時間的推移に基づき、今後の受信品質を予測する受信品質予測手段をさらに備え、
上記受信品質通知手段は、
上記受信品質予測手段によって予測された受信品質をユーザに通知することを特徴とする携帯端末装置。
【請求項２】
放送番組ごとに伝送モードを定義している電子番組表を取得する電子番組表取得手段と、
上記受信品質測定手段が測定した受信品質と、現在受信している放送番組の伝送モードと、上記電子番組表に定義されている各放送番組の伝送モードとに基づき、上記各放送番組の受信品質を予測する受信品質予測手段とを備え、
上記受信品質通知手段は、上記受信品質予測手段が予測した上記各放送番組の受信品質を、ユーザに通知することを特徴とする請求項１に記載の携帯端末装置。
【請求項３】
上記受信品質通知手段は、
現在の時刻に、あらかじめ設定されている基準時間を加えた時刻が、録画予約されている上記放送番組の予約時刻に等しいとき、録画予約されている上記放送番組の受信品質を、ユーザに通知することを特徴とする請求項１に記載の携帯端末装置。
【請求項４】
上記受信品質測定手段が上記受信品質を測定するときにおける、携帯端末装置の位置情報を取得する位置取得手段と、
上記受信品質および上記位置情報を、携帯端末装置に放送番組を送信する所定の放送基地局装置に提供する受信品質提供手段とをさらに備えていることを特徴とする請求項１に記載の携帯端末装置。
【請求項５】
上記受信品質通知手段は、携帯端末装置の現在の位置の周辺における、上記受信品質の分布を、ユーザに通知することを特徴とする請求項１に記載の携帯端末装置。
【請求項６】
携帯端末装置の現在の位置から、ユーザが移動する先の目的地までにおける、上記放送番組を視聴し続けることができるルートを算出するルート算出手段をさらに備えていることを特徴とする請求項１に記載の携帯端末装置。
【請求項７】
上記放送番組の受信品質の分布を表す品質地図に基づき、ユーザの移動先における上記放送番組の受信品質を予測する受信品質予測手段をさらに備えていることを特徴とする請求項１に記載の携帯端末装置。
【請求項８】
請求項４に記載の携帯端末装置から、上記受信品質、および携帯端末装置の上記位置情報を取得する受信品質取得手段と、
上記受信品質および上記位置情報を互いに関連付けることによって、所定のサービスエリアにおける受信品質の分布を表す品質地図を生成する品質地図作成手段とを備えていることを特徴としている放送基地局装置。
【請求項９】
放送されている放送番組を受信し、再生する携帯端末装置に、放送番組の受信品質を通知させる受信品質通知方法であって、
上記放送番組の受信品質を測定する受信品質測定ステップと、
上記測定された受信品質の過去の時間的推移に基づき、今後の受信品質を予測する受信品質予測ステップと、
上記予測された受信品質をユーザに通知する受信品質通知ステップとを含んでいることを特徴とする受信品質通知方法。
【請求項１０】
請求項４に記載の携帯端末装置と、請求項８に記載の放送基地局装置を含んでいることを特徴とする放送システム。
【請求項１１】
請求項１〜７のいずれか１項に記載の携帯端末装置を動作させる受信品質通知プログラムであって、コンピュータを上記の各手段として機能させるための受信品質通知プログラム。
【請求項１２】
請求項１１に記載の受信品質通知プログラムを記録しているコンピュータ読み取り可能な記録媒体。
【発明の詳細な説明】
【技術分野】
【０００１】
本発明は、放送されている番組を受信し、再生する携帯端末装置に関する。さらに、この携帯端末装置において、放送番組の受信品質をユーザに通知する受信品質通知方法に関する。さらに、この携帯端末装置をコンピュータ上で動作させる受信品質通知プログラムに関する。さらに、この受信品質通知プログラムを記録しているコンピュータ読み取り可能な記録媒体に関する。さらに、この携帯端末装置から、受信品質、および携帯端末装置の現在の位置を取得する放送基地局装置に関する。
【背景技術】
【０００２】
近年、通信と放送の融合が進んでいる。具体的には、データ通信可能であり、かつ、放送されている番組を受信し、再生できる携帯端末装置が開発されている。このような携帯端末装置を使用するユーザは、たとえば、電子メールを送受信しつつ、移動しながら、放送番組を視聴できる。また、放送する放送番組の内容に応じて、放送番組の伝送モードを変更する工夫もなされている。これにより、帯域全体の伝送効率を高めることができる。
【発明の開示】
【発明が解決しようとする課題】
【０００３】
一般的なテレビは、その場に設置して利用するものである。したがって、よほど激しい気象変化でも生じない限り、放送波の伝播環境は一定で変わらない。一方、放送番組を受信できる携帯端末装置は、移動しながら利用するものである。したがって、携帯端末装置の位置が異なれば、放送波の伝播環境も大きく異なる。
【０００４】
従来の携帯端末装置は、受信した放送番組を単にそのまま再生する。したがって、伝播環境の悪い位置に携帯端末装置が存在し、放送番組の受信品質が悪化しても、ユーザは気が付かない。最悪の場合、放送番組の視聴中に再生が突然途切れてしまい、ユーザを戸惑わせてしまう。このように従来の携帯端末装置を使用するユーザは、現在視聴している放送番組を安定して視聴し続けることができるかどうか、事前に知るすべがない。
【０００５】
視聴している途中で受信品質が悪化し、放送番組を視聴できなくなってしまうと、それまで放送番組を視聴していた時間が無駄となってしまう。このような状況において、放送番組を録画できる機能を有する携帯端末装置も開発されている。録画機能を有する携帯端末装置において、もし、放送番組の受信品質が悪く、視聴に耐えない状態で録画されていれば、ユーザは、録画された放送番組を後で視聴しないであろう。このとき、携帯端末装置の電池やメモリが無駄に使用されたことになる。
【０００６】
これらの問題はいずれも、従来の携帯端末装置が、番組を安定して視聴できるかどうかをユーザに知らせることができないことに起因するものである。
【０００７】
本発明は上記の課題を解決するためになされたものであり、その目的は、放送番組を安定して視聴できるかどうかをユーザに知らせることができる携帯端末装置、受信品質通知方法、受信品質通知プログラム、および記録媒体を提供することにある。
【課題を解決するための手段】
【０００８】
本発明に係る携帯端末装置は、上記の課題を解決するために、
放送されている放送番組を受信し、再生する携帯端末装置であって、
上記放送番組の受信品質を測定する受信品質測定手段と、
上記測定された受信品質をユーザに通知する受信品質通知手段とを備えていることを特徴としている。
【０００９】
上記の構成によれば、携帯端末装置は、放送されている放送番組を受信し、再生する。この携帯端末装置を携帯するユーザは、移動しながら放送番組を視聴できる。このとき携帯端末装置では、受信した放送番組の受信品質を、たとえば、受信した放送波の電解強度等を測定することによって、受信品質測定手段が測定する。
【００１０】
携帯端末装置では、さらに、受信品質測定手段が測定した受信品質を、受信品質通知手段がユーザに通知する。このとき受信品質通知手段は、ユーザが理解しやすい形で、受信品質を通知する。たとえば画面の周囲を、受信品質が良ければ青色に、悪ければ赤色に表示するといったように、受信品質の度合いを反映させた色で表示する。ユーザは、画面周囲の色を確認することによって、現在視聴している放送番組の受信品質を、客観的に知ることができる。
【００１１】
このように、携帯端末装置は、番組を安定して視聴できるかどうかをユーザに知らせることができる効果を奏する。
【００１２】
本発明に係る受信品質通知方法は、上記の課題を解決するために、
放送されている放送番組を受信し、再生する携帯端末装置に、放送番組の受信品質を通知させる受信品質通知方法であって、
上記放送番組の受信品質を測定する受信品質測定ステップと、
上記測定された受信品質をユーザに通知する受信品質通知ステップとを含んでいることを特徴としている。
【００１３】
上記の構成によれば、本発明に係る携帯端末装置と同様の効果を奏する。
【００１４】
また、本発明に係る携帯端末装置では、さらに、
放送番組ごとに伝送モードを定義している電子番組表を取得する電子番組表取得手段と、
上記受信品質測定手段が測定した受信品質と、現在受信している放送番組の伝送モードと、上記電子番組表に定義されている各放送番組の伝送モードとに基づき、上記各放送番組の受信品質を予測する受信品質予測手段とを備え、
上記受信品質通知手段は、上記受信品質予測手段が予測した上記各放送番組の受信品質を、ユーザに通知することが好ましい。
【００１５】
上記の構成によれば、電子番組表取得手段が電子番組表を取得する。この電子番組表は、放送番組ごとに伝送モードを定義している。たとえば、ある放送番組の伝送モードを、１６ＱＡＭであると定義し、他の放送番組の伝送モードを、ＱＰＳＫであると定義している。
【００１６】
受信品質予測手段は、電子番組表に定義されている各放送番組の受信品質を予測する。このとき受信品質予測手段は、受信品質測定手段が測定した受信品質と、現在の放送番組の伝送モードと、上記電子番組表に定義されている各放送番組の伝送モードに基づき、上記各放送番組の受信品質を予測する。たとえば、現在の放送番組の伝送モードが１６ＱＡＭであり、電子番組表に定義されている、３０分後の放送番組の伝送モードも同じく１６ＱＡＭであるとき、受信品質通知手段は、３０分後の放送番組の受信品質を、現在の放送番組の受信品質に等しいと予測する。
【００１７】
受信品質通知手段は、受信品質予測手段が予測した各放送番組の受信品質を、ユーザに通知する。これにより、ユーザは、現在視聴している放送番組の受信品質のみならず、チャンネルを切り替えて視聴可能な他の放送番組の受信品質や、将来視聴できる放送番組の受信品質も、客観的に知ることができる。
【００１８】
したがって、携帯端末装置は、どの放送番組を良好に視聴できるかを、ユーザに、チャンネルを切り替えることなく事前に知らせることができる効果を奏する。
【００１９】
また、本発明に係る携帯端末装置では、さらに、
上記測定された受信品質の過去の時間的推移に基づき、今後の受信品質を予測する受信品質予測手段をさらに備え、
上記受信品質通知手段は、
上記受信品質予測手段によって予測された受信品質をユーザに通知することが好ましい。
【００２０】
上記の構成によれば、受信品質予測手段は、測定された受信品質の過去の時間的推移に基づき、今後の受信品質を予測する。たとえば、直近３０分間における受信品質が、ずっと良好であるとき、今後の３０分間も、受信品質が安定すると予測する。または、直近３０分間の受信品質が、徐々に低下し続けているとき、受信品質が今後も低下し、最終的には視聴に必要な受信品質が得られなくなると予測する。
【００２１】
携帯端末装置では、受信品質予測手段が予測した受信品質を、受信品質通知手段がユーザに通知する。これにより、受信品質の予測を通知されたユーザは、その予測に基づき、放送番組の視聴を続けるか否かを決定できる。たとえば、放送番組の受信品質が今後も良好なら、放送番組をその場でそのまま視聴しつづけることを選択する。一方、放送番組の受信品質が今後低下していくなら、別の場所に移動して、放送番組を視聴することを選択する。
【００２２】
このように携帯端末装置は、放送番組を視聴することに関する今後の最適な行動を、ユーザに促すことができる効果を奏する。
【００２３】
また、本発明に係る携帯端末装置では、さらに、
上記受信品質通知手段は、
現在の時刻に、あらかじめ設定されている基準時間を加えた時刻が、録画予約されている上記放送番組の予約時刻に等しいとき、録画予約されている上記放送番組の受信品質を、ユーザに通知することが好ましい。
【００２４】
上記の構成によれば、受信品質通知手段は、現在の時刻に、あらかじめ設定されている基準時間を加えた時刻が、録画予約されている上記放送番組の予約時刻に等しいとき、録画予約されている放送番組の受信品質を、ユーザに通知する。たとえば、あらかじめ設定されている基準時間が５分であるとする。この場合、現在の時刻が予約時刻の５分前であるとき、受信品質予測手段が、録画予約されている放送番組の受信品質を、上述したように、電子番組表に定義されている伝送モードに基づき、予測する。このとき予測された受信品質を、受信品質通知手段がユーザに通知する。
【００２５】
これにより、ユーザは、録画予約した放送番組を良好に録画できるか否かを、事前に知ることができる。したがって、受信品質が悪いと予測されるとき、放送番組を無駄に録画することを防止できる効果を奏する。
【００２６】
また、本発明に係る携帯端末装置では、さらに、
上記受信品質通知手段は、
携帯端末装置が充電状態となったときに、上記受信品質をユーザに通知することが好ましい。
【００２７】
上記の構成によれば、受信品質通知手段は、携帯端末装置が充電状態となったとき、たとえば携帯端末装置が充電器に装着されたときに、放送番組の受信品質をユーザに通知する。携帯端末装置が充電状態になることは、ユーザが移動せずに、ある一定の位置に携帯端末装置を置き続ける可能性が高いことを意味する。したがって、受信品質通知手段は、ある特定の位置における、放送番組の受信品質をユーザに通知することによって、その場において放送番組を視聴し続ける場合の受信品質をユーザに通知できる効果を奏する。
【００２８】
また、本発明に係る携帯端末装置では、さらに、
上記受信品質測定手段が上記受信品質を測定するときにおける、携帯端末装置の位置情報を取得する位置取得手段と、
上記受信品質および上記位置情報を、携帯端末装置に放送番組を送信する所定の放送基地局装置に提供する受信品質提供手段とをさらに備えていることが好ましい。
【００２９】
上記の構成によれば、位置取得手段は、受信品質測定手段が放送番組の受信品質を測定するときにおける、携帯端末装置の位置情報を取得する。このとき、位置取得手段は、たとえば、ＧＰＳシステムを利用する。携帯端末装置では、さらに、受信品質測定手段が測定した受信品質と、位置取得手段が取得した位置情報とを、受信品質提供手段が、放送基地局装置に提供する。これにより、放送基地局装置は、携帯端末装置から提供された受信品質、および携帯端末装置の位置情報を使用することによって、たとえば、放送基地局装置のサービスエリアにおける、受信品質の分布を表す品質地図を生成できる。すなわち、本構成では、放送基地局装置に対して有益な情報を提供できる携帯端末装置を実現できる効果を奏する。
【００３０】
また、本発明に係る携帯端末装置では、さらに、
上記受信品質通知手段は、携帯端末装置の現在の位置の周辺における、上記受信品質の分布を、ユーザに通知することが好ましい。
【００３１】
上記の構成によれば、受信品質通知手段は、携帯端末装置の現在の位置周辺における、放送番組の受信品質の分布を、ユーザに通知する。このような分布は、たとえば、携帯端末装置から情報を収集した放送基地局装置が事前に作成しており、必要に応じて携帯端末装置に提供する。現在位置周辺の受信品質の分布を知ることによって、ユーザは、受信品質が悪く、放送番組を良好に視聴できないとき、どの場所に移動すれば、放送番組を視聴できるのかを知ることができる効果を奏する。
【００３２】
また、本発明に係る携帯端末装置では、さらに、
携帯端末装置の現在の位置から、ユーザが移動する先の目的地までにおける、上記放送番組を視聴し続けることができるルートを算出するルート算出手段をさらに備えていることが好ましい。
【００３３】
上記の構成によれば、ルート算出手段は、携帯端末装置の現在の位置から、ユーザが移動する先の目的地までにおける、放送番組を視聴し続けることができるルートを算出する。このとき携帯端末装置は、現在の位置を、たとえばＧＰＳシステムによって特定する。ユーザの目的地は、ユーザが携帯端末装置に入力する。これによりルート算出手段は、目的地に最短時間で到着できるルートを、いわゆるナビゲーションシステムを利用して算出する。次にルート算出手段は、算出したルートの各地点において、放送番組を視聴できるか否かを判定する。この判定には、携帯端末装置の現在の位置から、ユーザが到達する目的地までにおける、受信品質の分布を表す品質地図を使用する。ルートの途中において、受信品質が悪く、放送番組を視聴できないと判定するとき、それ以外の、放送番組を視聴できるルートを別途、算出する。
【００３４】
このよう情報な処理によって、ルート算出手段は、携帯端末装置の現在の位置から、ユーザの目的地まで、放送番組を良好に視聴し続けることができるルートを算出する。ルート算出手段が算出したルートに従うユーザは、放送番組を視聴し続けながら、目的地に到着できる効果を奏する。
【００３５】
また、本発明に係る携帯端末装置では、さらに、
上記放送番組の受信品質の分布を表す品質地図に基づき、ユーザの移動先における上記放送番組の受信品質を予測する受信品質予測手段を備えていることが好ましい。
【００３６】
上記の構成によれば、受信品質予測手段は、ユーザの移動先における、放送番組の受信品質を予測する。これによりユーザは、移動先において、予定している放送番組を視聴できるかを、事前に知ることができる効果を奏する。
【００３７】
本発明に係る放送基地局装置は、上記の課題を解決するために、
上述した携帯端末装置から、上記受信品質、および携帯端末装置の上記位置を取得する受信品質取得手段と、
上記受信品質および上記位置を互いに関連付けることによって、所定のサービスエリアにおける受信品質の分布を表す品質地図を生成する品質地図作成手段とを備えていることを特徴とする。
【００３８】
上記の構成によれば、放送されている放送番組の、実際に受信品質を反映した、正確な受信品質の分布を表す品質地図を生成できる放送基地局装置を提供できる効果を奏する。
【００３９】
本発明に係る放送システムは、上記の課題を解決するために、上述した携帯端末装置および放送基地局装置を含んでいることを特徴とする。
【００４０】
上記の構成によれば、番組を安定して視聴できるかどうかをユーザに知らせることができる放送システムを提供することができる効果を奏する。
【００４１】
なお、上記携帯端末装置は、コンピュータによって実現してもよい。この場合、コンピュータを上記各手段として動作させることにより上記携帯端末装置をコンピュータにおいて実現する受信品質通知プログラム、およびその受信品質通知プログラムを記録したコンピュータ読み取り可能な記録媒体も、本発明の範疇に入る。
【発明の効果】
【００４２】
以上のように、本発明に係る携帯端末装置は、放送番組の受信品質をユーザに通知する受信品質通知手段を備えているため、番組を安定して視聴できるかどうかをユーザに知らせることができる効果を奏する。
【発明を実施するための最良の形態】
【００４３】
本発明の一実施形態について、図１〜図９を参照して以下に説明する。
【００４４】
（放送システム５０の詳細）
携帯端末装置１を含む放送システム５０の詳細について、図１を参照して以下に説明する。図１は、本発明の一実施形態に係る放送システム５０の詳細を示すブロック図である。この図に示すように、放送システム５０は、携帯端末装置１、放送基地局装置２、通信基地局装置３、および放送番組提供センター４を含んでいる。
【００４５】
放送番組提供センター４は、所定の放送番組を放送基地局装置２に提供する。放送基地局装置２は、提供された放送番組を変調して放送波を生成し、携帯端末装置１に送信する。携帯端末装置１は、放送基地局装置２から送信される放送波を受信する。さらに、受信した放送波を復調することによって、放送番組を得る。携帯端末装置１は、放送番組をディスプレイ１４に表示するなどして、再生する。これにより、携帯端末装置１を携帯するユーザは、放送基地局装置２が提供する放送番組を、移動しながら視聴できる。通信基地局装置３は、携帯端末装置１から送信される所定のデータを受信する。さらに、受信したデータを、通信ネットワーク５を通じて放送基地局装置２に提供する。このように通信基地局装置３は、携帯端末装置１が放送基地局装置２に提供する各種データを中継する中継基地として機能する。
【００４６】
（携帯端末装置１）
携帯端末装置１について、図１を参照して以下に説明する。この図に示すように、携帯端末装置１は、入力部１０、メモリ１１、放送波受信部１２、番組処理部１３、ディスプレイ１４、位置情報取得部１５（位置情報取得手段）、受信品質測定部１６（受信品質測定手段、受信品質予測手段）、受信品質通知部１７（受信品質通知手段）、受信可能ルート算出部１８（受信品質予測手段）、およびデータ通信部１９を備えている。
【００４７】
（入力部１０）
入力部１０は、ユーザによる各種操作、および入力を受け付ける。たとえば、ユーザが選択したチャンネルに関する情報を受け付ける。さらに、ユーザが選択した目的地に関する情報を受け付ける。さらに、放送番組の録画予約時刻の入力を受け付ける。
【００４８】
（メモリ１１）
メモリ１１は、携帯端末装置１が処理する各種データを格納する。たとえば、携帯端末装置１が取得した電子番組表を格納する。このメモリ１１は、一般的な不揮発性メモリや、ハードディスクである。携帯端末装置１が録画機能を備えているとき、メモリ１１は、録画された各放送番組を格納する。
【００４９】
（放送波受信部１２）
放送波受信部１２は、放送基地局装置２から送信された放送波を受信する。放送波受信部１２は、受信した放送波を、番組処理部１３および受信品質測定部１６に出力する。このとき、携帯端末装置１は、放送波の受信状態が良ければ、送信されたほぼ全ての信号を復調できる。一方、放送波の受信状態が悪ければ、送信された信号の一部のみを復調できる。放送波の受信状態は、放送基地局装置２と携帯端末装置１との距離、携帯端末装置１の姿勢（アンテナの向き）、および放送基地局装置２のサービスエリア内に存在する各種建造物によって、決定される。
【００５０】
（番組処理部１３）
番組処理部１３は、放送波受信部１２が受信した放送波を復調することによって、放送番組のデータを取得する。さらに、番組処理部１３は、取得したデータが表す放送番組を、ディスプレイ１４に表示する。これにより、携帯端末装置１が受信した放送番組を再生する。
【００５１】
（ディスプレイ１４）
ディスプレイ１４は、携帯端末装置１に関する各種情報を表示し、ユーザに通知する。ディスプレイ１４は、さらに、放送番組に含まれるテキスト、画像および動画を表示する。さらに、必要に応じて、電子番組表（ＥＰＧ）を表示する。このディスプレイ１４は、たとえば、液晶ディスプレイである。
【００５２】
（位置情報取得部１５）
位置情報取得部１５は、携帯端末装置１が存在する現在の位置に関する情報を、任意の手段によって取得する。このとき、位置情報取得部１５は、たとえば、ＧＰＳ（Ｇｌｏｂａｌ  Ｐｏｓｉｔｉｏｎｉｎｇ  Ｓｅｒｖｉｃｅ）システムを利用する。位置情報取得部１５は、取得した位置を表す位置データを生成し、メモリ１１に格納する。
【００５３】
（受信品質測定部１６）
受信品質測定部１６は、放送番組の受信品質を測定する。具体的には、受信品質測定部１６は、放送波受信部１２が受信した放送波の受信品質を測定する。受信品質測定部１６は、測定した受信品質を表す品質データを生成し、メモリ１１に格納する。
【００５４】
受信品質測定部１６は、任意の手段によって、放送波の受信品質を測定すればよい。たとえば、受信品質測定部１６は、放送波の電界強度に基づき、受信品質を測定すればよい。放送波の電界強度は、放送基地局装置２からの距離に比例して弱くなる。電波が弱くなるほど、ビット判定の誤り率が悪化するため、携帯端末装置１が受信する放送番組の受信品質が低下する。したがって、放送基地局装置２から離れたところに携帯端末装置１が位置するほど、通常、放送番組の受信品質は低下する。
【００５５】
（受信品質通知部１７）
受信品質通知部１７は、受信品質測定部１６が測定した放送番組の受信品質を、任意の手段によって、ユーザに通知する。たとえば、受信品質の度合いを、画面の枠の色を変えることによって、ユーザに通知する。具体的には、受信品質が良ければ、画面の枠を青色に表示する。さらに、受信品質が悪ければ、画面の色を黄色に表示する。さらに、受信品質が悪すぎて、放送番組をディスプレイ１４に表示できないとき、画面の枠を赤色に表示する。
【００５６】
（受信可能ルート算出部１８）
受信可能ルート算出部１８は、携帯端末装置１の現在の位置から、ユーザが入力した目的地まで、ユーザが放送番組を視聴し続けることができるルートを、算出する。このとき、受信可能ルート算出部１８は、放送基地局装置２が生成する、受信品質の分布を表す受信品質地図を使用する。さらに、いわゆる道路地図をあわせて使用する。受信可能ルート算出部１８が算出するルートの詳細については、後述する。
【００５７】
（データ通信部１９）
データ通信部１９は、ユーザによる指示に基づき、通信ネットワーク４を通じて、電子番組表を取得する。取得した電子番組表を、データ通信部１９はメモリ１１に格納する。このとき、データ通信部１９は、各放送番組の、放送番組を変調するときの伝送モードと、放送番組の要求される基準品質とが関連付けられて定義されている電子番組表を取得する。この詳細については、後述する。なお、ここでいう「伝送モード」とは、放送番組などの変調方式、変調レート、符号化レート、符号化方式、あるいはエラー耐性の程度を意味する。
【００５８】
データ通信部１９は、受信品質測定部１６が測定した受信品質、および位置情報取得部１５が取得した携帯端末装置１の位置を、放送基地局装置２に通知する。具体的には、データ通信部１９は、メモリ１１に格納されている品質データおよび位置データを読み出し、データ通信可能な範囲に存在する通信基地局装置３に送信する。このとき、データ通信部１９は、所定の時間間隔で、各データを送信する。または、データ通信部１９は、放送波の受信品質が、携帯端末装置１においてあらかじめ定められた値よりも低くなったと判定するときに、品質データおよび位置データを通信基地局装置３に送信してもよい。さらには、あらかじめ設定されている場所に携帯端末装置２が存在することを、位置データに基づき判定したときに、品質データおよび位置データを、通信基地局装置３に送信してもよい。
【００５９】
（放送基地局装置２）
放送基地局装置２について、図１を参照して以下に説明する。図１に示すように、放送基地局装置２は、番組取得部２１、番組変調部２２、放送波送信部２３、放送アンテナ２４、データ通信部２５（受信品質取得手段）、およびメモリ２６を備えている。
【００６０】
（放送番組入力部２１）
上述したように、放送番組提供センター４は、放送基地局装置２に放送番組を提供する。提供された放送番組を、放送基地局装置２では、放送番組入力部２１が受け付ける。放送番組受信部２１は、入力された放送番組を番組変調部２２に出力する。
【００６１】
（番組変調部２２）
番組変調部２２は、放送番組を変調する。このとき、番組変調部２２は、通常の伝送モードを用いて、放送番組を変調する。たとえば、ＢＰＳＫ、ＱＰＳＫ、１６ＱＡＭ、および６４ＱＡＭなどの、各種伝送モードを使用する。番組変調部２２は、変調した放送番組を放送波送信部２３に出力する。
【００６２】
（放送波送信部２３、放送アンテナ２４）
放送波送信部２３は、放送番組を変調して生成した放送波を、放送アンテナ２４を通じて携帯端末装置１に送信する。この放送アンテナ２４は、３６０度に渡って放送波を出力できるものであればよい。または、たとえば、１２０度に渡って放送波を出力できる部分アンテナが組み合わさった、合計して３６０度全体に放送波を出力できるアンテナであってもよい。
【００６３】
（データ通信部２５）
上述したように、通信基地局装置３は、携帯端末装置１から送信される品質データおよび位置データを受信し、通信ネットワーク５を通じて放送基地局装置２に提供する。放送基地局装置２では、通信基地局装置３から提供された品質データおよび位置データを、データ通信部２５が受信する。データ通信部２５は、受信した品質データおよび位置データを、互いに関連付けて、メモリ２６に格納する。これにより、データ通信部１９は、放送基地局装置２がカバーするサービスエリア内における、放送番組の受信品質の分布を表す、受信品質地図を生成する。
【００６４】
さらに、データ通信部２５は、携帯端末装置１からリクエストに応じて、メモリ２６に格納されている受信品質地図データを読み出し、通信ネットワーク４を通じて携帯端末装置１に送信する。
【００６５】
（メモリ２６）
メモリ２６は、放送基地局装置２が処理する各種データを格納する。たとえば、放送基地局装置２が生成する受信品質地図データを格納している。このメモリ２６は、たとえば、ハードディスクである。
【００６６】
（放送波の到達距離）
放送システム５０では、放送番組の伝送モードによって、放送波が到達できる距離が異なる。すなわち、放送基地局装置２は、異なる伝送モードを使用することによって、放送番組を配信できる最大距離を異ならせることができる。このことについて、図２を参照して以下に説明する。図２は、放送番組に適用される伝送モードと、放送波が到達できる最大距離との関係を表す図である。
【００６７】
上述したように、番組変調部２２は、異なる伝送モードによって、それぞれ放送番組を変調できる。たとえば、ある放送番組を１６ＱＡＭによって変調する一方、別の放送番組をＱＰＳＫによって変調する。ここで、図２に示すように、番組変調部２２が放送番組を１６ＱＡＭによって変調するとき、放送波は距離ｄ１まで到達する。このとき、放送番組のビットレートは高く、一方、エラー耐性は低い。すなわち、放送番組に要求される受信品質が高く、かつ、放送波を復調するときにエラーが発生する確率が高い。したがって携帯端末装置１は、放送基地局装置２から距離ｄ１の範囲内に存在するとき、高品質の放送番組を復調できる。一方、距離ｄ１を超えて放送基地局装置２から離れると、この放送番組を復調できなくなる。
【００６８】
また、番組変調部２２が放送番組をＱＰＳＫ２／３によって変調するとき、放送波は、距離ｄ２まで到達する。すなわち、放送番組に要求される受信品質は中程度であり、かつ、放送波を復調するときにエラーが発生する確率も中程度である。したがって携帯端末装置１は、放送基地局装置２から距離ｄ２の範囲内に存在するとき、中品質の放送番組を復調できる。一方、距離ｄ２を超えて放送基地局装置２から離れると、この放送番組を復調できなくなる。
【００６９】
また、番組変調部２２が放送番組をＱＰＳＫ１／３によって変調するとき、放送波は、距離ｄ３まで到達する。すなわち、放送番組に要求される受信品質は低く、かつ、放送波を復調するときにエラーが発生する確率も低い。したがって携帯端末装置１は、放送基地局装置２から距離ｄ３の範囲内に存在するとき、低品質の放送番組を復調できる。一方、距離ｄ３を超えて放送基地局装置２から離れると、この放送番組を復調できなくなる。
【００７０】
（放送番組ごとの伝送モードの例）
このように、放送番組を変調するときの伝送モードに応じて、放送波が到達する距離が変化する。そこで、放送基地局装置２は、個々の放送番組を、異なる伝送モードによって変調する。すなわち、放送番組に要求される品質に応じた伝送モードによって、放送番組を変調する。このとき各放送番組には、所定の基準品質が設定される。携帯端末装置１は、個々の放送番組の伝送モード、および設定されている基準品質を、電子番組表を通じて取得する。これらの例について、図３を参照して以下に説明する。
【００７１】
図３は、放送基地局装置２が送信する個々の放送番組と、放送番組に適用される伝送モードと、放送番組に設定されている基準品質との関係を表す図である。この図に示すように、番組変調部２２は、たとえば、チャンネル１の音楽番組を、ＱＰＳＫ１／２によって変調する。この放送番組には、基準品質として、「６５」があらかじめ設定されている。また、番組変調部２２は、チャンネル２のスポーツ番組を、１６ＱＡＭ１／２によって変調する。この放送番組には、基準品質として、「７０」があらかじめ設定されている。また、番組変調部２２は、チャンネル３の映画番組を、ＱＰＳＫ１／３によって変調する。この放送番組には、基準品質として、「８０」があらかじめ設定されている。また、番組変調部２２は、チャンネル４のスポーツ番組を、１６ＱＡＭ２／３によって変調する。この放送番組には、基準品質として、「８５」があらかじめ設定されている。
【００７２】
放送システム５０では、放送番組ごとの伝送モードおよび基準品質は、いずれも、電子番組表にあらかじめ定義されている。携帯端末装置１は、伝送モードおよび基準品質が定義されている電子番組表を取得することによって、個々の放送番組の変調および基準品質を、事前に知ることができる。
【００７３】
（受信品質をユーザに通知する際の処理の流れ）
携帯端末装置１が、放送番組の受信品質を測定し、ユーザに通知するときの処理の流れについて、図４を参照して以下に説明する。図４は、携帯端末装置１が、放送番組の受信品質を測定し、ユーザに通知するときの処理の流れの一例を示すフローチャートである。
【００７４】
（放送波の受信、表示）
放送システム５０では、放送基地局装置２において、放送波送信部２３が、放送アンテナ２４を通じて、放送波を携帯端末装置１に送信する。携帯端末装置１では、放送波受信部１２が放送波を受信する（ステップＳ１０）。放送波受信部１２は、受信した放送波を受信品質測定部１６に出力する。
【００７５】
（基準品質を取得）
放送波送信部２３は、放送波に、放送番組の基準品質を表すデータを重畳して送信している。これにより、放送波受信部１２は、受信した放送波から、放送番組の基準品質データを取得し、メモリ１１に格納する。
【００７６】
（受信品質を測定）
受信品質測定部１６は、入力された放送波に基づき、放送番組の受信品質を測定する（ステップＳ１１）。このとき、受信品質測定部１６は、たとえば、放送波の電解強度を測定することによって、受信品質を測定する。受信品質測定部１６は、測定した受信品質を表す受信品質データを生成し、メモリ１１に格納する。
【００７７】
（受信品質を通知）
以上の処理によって、メモリ１１に、受信品質データおよび基準品質データが格納される。次に、受信品質通知部１７が、メモリ１１にアクセスすることによって、受信品質データおよび基準品質データを読み出す。受信品質通知部１７は、読み出した２つのデータを使用することによって、測定された放送番組の受信品質と、この放送番組にあらかじめ設定されている基準品質とを比較する。この比較により、受信品質通知部１７は、受信品質が基準品質よりも大きいか否かを判定する（ステップＳ１２）
ここで、受信品質が基準品質よりも大きいと判定するとき（Ｙｅｓ）、受信品質通知部１７は、放送番組の受信品質をユーザに通知する。たとえば、図５に示すように、画面の周囲を青色に表示することによって、現在、放送番組の受信品質が良好であることをユーザに通知する。
【００７８】
（受信不可能であることを通知）
一方、受信品質が基準品質よりも小さいと判定するとき（Ｎｏ）、受信品質通知部１７は、放送番組を受信することができないことを、ユーザに通知する。たとえば、ディスプレイ１４に、「放送番組を受信できません」などの所定のメッセージを表示する。これにより、ユーザは、放送番組を受信できない場所に、現在自分がいることを知ることができる。
【００７９】
ユーザへの通知後、携帯端末装置１は、放送波の受信を終了するか否かを判定する（ステップＳ１６）。ここで、放送波の受信を終了すると判定するとき（Ｙｅｓ）、携帯端末装置１は、受信品質の通知処理を終了する。一方、放送波の受信を終了しないと判定するとき、処理はステップＳ１０に戻って、放送波受信部１２が再び放送波を受信する。
【００８０】
（作用・効果）
以上のように、携帯端末装置１では、受信品質測定部１６が、受信した放送番組の受信品質を測定する。測定された受信品質を、受信品質通知部１７がユーザに通知する。これにより、ユーザは、選択した放送番組の受信品質を、明確な形で知ることができる。したがって、たとえば、受信品質が良好であることを知ったとき、その場で放送番組を視聴し続けることを選択する。一方、放送番組の受信品質が悪いとき、放送波の受信感度が高まる場所に移動するなどして、放送番組の受信品質を改善することを試みることができる。このように、携帯端末装置は、番組を安定して視聴できるかどうかをユーザに知らせることができる。
【００８１】
（一定値を下回れば通知）
受信品質通知部１７は、放送番組の受信品質を、無条件でユーザに通知してもよい。このとき受信品質通知部１７は、放送番組の受信品質を、いわゆるレポートのような形で、余すことなくユーザに報告する。一方、受信品質通知部１７は、測定した受信品質が、一定の値を下回るときにのみ、ユーザに受信品質を通知してもよい。このとき受信品質通知部１７は、放送番組の受信品質が悪化していることを、ユーザに警告することができる。なお、この場合の一定の値は、各放送番組にあらかじめ設定されていればよい。すなわち、放送基地局装置２の放送波送信部２３は、ユーザに受信品質を通知すべき基準となる値を、放送波に重畳して携帯端末装置１に送信すればよい。
【００８２】
（録画時間に近づくと通知）
受信品質通知部１７は、ユーザが指定した、放送番組の録画予約時刻が近づいたとき、ユーザに放送番組の受信品質を通知してもよい。
【００８３】
この場合、携帯端末装置１は、ユーザが指定した放送番組を、メモリ１６に録画する。このとき携帯端末装置１は、所定の録画部を備える。ユーザは、放送番組を録画する時間を携帯端末装置１に入力する。入力部１０は、ユーザが入力した録画時刻を表すデータを、メモリ１１に格納する。受信品質測定部１６は、携帯端末装置１に備えられているローカルクロックを参照することによって、定期的に、現在時刻をチェックする。これにより、現在時刻が、ユーザが入力した録画予約時刻に近づいたと判定したとき、たとえば現在時刻が録画予定時刻の５分前であると判定したとき、放送波の受信品質を測定する。受信品質通知部１７は、ユーザが録画予約した放送番組の予測受信品質として、ユーザに通知する。
【００８４】
これにより、ユーザは、録画予約した放送番組を良好に録画できるか否かを、事前に知ることができる。したがって、受信品質が悪いと予測されるとき、放送番組を無駄に録画することを防止できる。これにより、携帯端末装置１の電池やメモリを無駄に使用することも防止できる。
【００８５】
（今後の受信品質の予測）
受信品質通知部１７は、ユーザが視聴している放送番組の、今後の受信品質の推移を予測し、ユーザに通知してもよい。
【００８６】
このとき受信品質測定部１６は、測定した放送番組の受信品質を、時系列に集積する。具体的には、受信品質測定部１６は、測定した受信品質を、測定した時刻に関連付けて、メモリ１１に格納する。受信品質通知部１７は、メモリ１１に格納されている放送番組の過去の受信品質を表すデータを、あらかじめ設定されている過去時間分だけ、読み出す。読み出したデータを使用することによって、受信品質通知部１７は、放送番組の受信品質の過去の時間的推移を算出する。算出した過去の時間的推移に基づき、受信品質測定部１６は、放送番組の今後の受信品質の変化を予測する。どのような時間的推移があれば、どのような予測が可能であるのかついてのルールは、あらかじめ、メモリ１１に記憶されている。これにより、受信品質通知部１７は、予測された受信品質を、ユーザに通知する。
【００８７】
放送番組の受信品質が、あらかじめ設定されている過去時間（たとえば３０分）にわたって安定して高い（基準品質よりも高い）ことを算出したとき、受信品質通知部１７は、放送番組の受信品質が、現在だけでなく、今後もしばらく（たとえば３０分）安定するであろうこと予測し、そのことをユーザに通知する。一方、放送番組の受信品質が、あらかじめ設定されている過去時間（たとえば３０分）にわたって、徐々に低下している（右肩下がりに低下している）と算出したとき、受信品質通知部１７は、ユーザが視聴している放送番組の受信品質が、今後も徐々に低下していくであろうこと予測し、ユーザに通知する。
【００８８】
これにより、予測された今後の受信品質を通知されたユーザは、その予測に基づき、放送番組の視聴を続けるか否かを決定できる。たとえば、放送番組の受信品質が今後も良好なら、放送番組をそのまま視聴しつづけることを選択する。一方、放送番組の受信品質が今後低下していくなら、別の場所に移動して、放送番組を視聴することを選択する。このように、携帯端末装置１は、放送番組を視聴することに関する、今後の最適な行動を、ユーザに促すことができる。
【００８９】
（充電状態を感知すれば通知）
受信品質通知部１７は、携帯端末装置１が充電状態になったときに、放送番組の受信品質をユーザに通知してもよい。このとき携帯端末装置１は、充電状態になったことを検知する所定の充電状態検知部を備えている。この充電状態検知部は、たとえば、携帯端末装置１に所定の電圧が入力されていることを検知したときに、携帯端末装置１が充電器に接続され、充電状態になっていると判定する。充電状態検知部によって、携帯端末装置１が充電状態になっていると判定されたとき、受信品質測定部１６が、放送番組の受信品質を測定し、受信品質通知部１７が、測定された受信品質をユーザに通知する。したがって、受信品質通知部１７は、ある特定の位置における、放送番組の受信品質をユーザに通知することによって、その場において放送番組を視聴し続ける場合の受信品質をユーザに通知できる。
【００９０】
（スケジュールに基づき予測）
受信品質通知部１７は、ユーザの今後の移動予定先における、放送番組の受信品質を予測し、ユーザに通知してもよい。このとき、ユーザは、今後のスケジュールを携帯端末装置１に入力する。携帯端末装置１では、入力部１０が、ユーザが入力したスケジュールを受け付け、メモリ１１に格納する。受信品質通知部１７は、ユーザのスケジュールをメモリ１１から読み出す。たとえば、ユーザが３０分後に移動する先の住所を読み出す。この住所における、放送番組の受信品質を、放送番組の受信品質の分布を表す品質地図に基づき予測し、ユーザに通知する。これによりユーザは、移動先において、予定している放送番組を視聴できるかを、事前に知ることができる。
【００９１】
（個々の放送番組の予測受信品質を通知）
以上のように、受信品質測定部１６は、ユーザが現在視聴している放送番組の受信品質を測定する。これにより、受信品質通知部１７は、ユーザが現在視聴している放送番組の受信品質を、ユーザに通知する。しかし、受信品質通知部１７は、ユーザが現在視聴している放送番組だけでなく、ユーザが現在選択しない放送番組の受信品質、および将来放送される予定の放送番組の受信品質を予測し、ユーザに通知できる。この例について、以下に説明する。
【００９２】
図６は、携帯端末装置１が、電子番組表に格納されている、個々の放送番組の基準品質に基づき、各放送番組の受信品質を予測し、ユーザに通知するときの処理の流れの一例を示す図である。
【００９３】
（電子番組表の取得）
この図に示す処理の例では、携帯端末装置１は、事前に、電子番組表を取得する。このとき携帯端末装置１が取得する電子番組表では、各放送番組に、放送番組を変調するときの伝送モードと、放送番組の基準品質とが、あらかじめ定義されている。放送システム５０では、このような電子番組表を、放送基地局装置２が携帯端末装置１に送信してもよい。または、図示しない所定のサーバが電子番組表を用意し、携帯端末装置１のデータ通信部１９がこのサーバにアクセスすることによって、電子番組表を取得してもよい。いずれにせよ、携帯端末装置１が取得した電子番組表は、いったん、メモリ１１に格納される。
【００９４】
（放送波の受信）
放送システム５０では、放送基地局装置２において、放送波送信部２３が、放送アンテナ２４を通じて、放送波を携帯端末装置１に送信する。電子番組表を取得した後の状態において、携帯端末装置１では、放送波受信部１２が放送波を受信する（ステップＳ２０）。放送波受信部１２は、受信した放送波を受信品質測定部１６に出力する。
【００９５】
（受信品質を測定）
受信品質測定部１６は、入力された放送波に基づき、現在ユーザが視聴している放送番組の受信品質を測定する（ステップＳ２１）。このとき受信品質測定部１６は、たとえば放送波の電解強度を測定することによって、受信品質を測定する。受信品質測定部１６は、測定した受信品質を表す受信品質データを生成し、メモリ１１に格納する。
【００９６】
（受信品質を通知）
次に受信品質通知部１７が、メモリ１１にアクセスすることによって、電子番組表から、ユーザが現在視聴していない各放送番組の伝送モードを読み出す（ステップＳ２２）。さらに、現在の放送番組の受信品質を表す受信品質データを読み出す。さらに、現在の放送番組の伝送モードを、電子番組表から読み出す。
【００９７】
受信品質通知部１７は、電子番組表に定義されている各放送番組の受信品質を予測する。このとき受信品質通知部１７は、受信品質測定部１６が測定した受信品質と、現在の放送番組の伝送モードと、電子番組表に定義されている各放送番組の伝送モードに基づき、各放送番組の受信品質を予測する。たとえば、現在の放送番組の伝送モードが１６ＱＡＭであり、電子番組表に定義されている、３０分後の放送番組の伝送モードも同じく１６ＱＡＭであるとき、受信品質通知部１７は、３０分後の放送番組の受信品質を、現在の放送番組の受信品質に等しいと予測する。
【００９８】
受信品質通知部１７は、予測した各放送番組の受信品質を、ユーザに通知する。これにより、ユーザは、現在視聴している放送番組の受信品質のみならず、チャンネルを切り替えて視聴可能な他の放送番組の受信品質や、将来視聴できる放送番組の受信品質をも、客観的に知ることができる。
【００９９】
受信品質通知部１７は、電子番組表に定義されている、全ての放送番組に関する、予測受信品質を算出する（ステップＳ２３）。予測受信品質を算出した後、受信品質通知部１７は、電子番組表を携帯端末装置１に表示するとき、各放送番組の予測受信品質も同時に表示する。これにより、受信品質通知部１７は、ユーザに、各放送番組の予測受信品質を一覧にして通知する（ステップＳ２４）。
【０１００】
受信品質の通知後、携帯端末装置１は、放送波の受信を終了するか否かを判定する（ステップＳ２５）。ここで、放送波の受信を終了すると判定するとき（Ｙｅｓ）、携帯端末装置１は、受信品質の通知処理を終了する。一方、放送波の受信を終了しないと判定するとき、処理はステップＳ２０に戻って、放送波受信部１２が再び放送波を受信する。
【０１０１】
（電子番組表の例）
受信品質通知部１７が携帯端末装置１に表示する電子番組表の例について、図７を参照して以下に説明する。図７は、受信品質通知部１７がディスプレイ１４に表示する電子番組表の例を示す図である。
【０１０２】
この図に示すように、受信品質通知部１７は、電子番組表をディスプレイ１４に表示するとき、放送番組の表示領域の背景色を、予測受信品質に対応した色に表示する。すなわち、ユーザが現在、または将来に視聴できる放送番組について、ユーザが現在いる位置において放送番組を視聴した場合の、放送番組の予測受信品質を、一覧にしてユーザに通知する。このような受信品質の一覧表示を見たユーザは、たとえば、今いる場において、良好に視聴できる放送番組がどれであるのかを、チャンネルを切り替えることなく、すばやく客観的に知ることができる。
【０１０３】
（受信品質を基地局に提供）
携帯端末装置１は、測定した受信品質、および受信品質を測定した位置を、放送基地局装置２に提供してもよい。上述したように、携帯端末装置１では、メモリ２６に、受信品質データおよび位置データが格納されている。そこで、データ通信部１９が、メモリ１１から受信品質データおよび位置データを読み出し、通信可能な範囲内に存在する通信基地局装置３に、送信する。通信基地局装置３は、受信した受信品質データおよび位置データを、通信ネットワーク４を通じて、放送基地局装置２に提供する。
【０１０４】
（受信品質地図を作成）
放送基地局装置２では、通信基地局装置３から提供された品質データおよび位置データを、データ通信部２５が受信する。データ通信部２５は、受信した品質データおよび位置データを互いに関連付けて、メモリ２６に格納する。これによりデータ通信部１９は、放送基地局装置２がカバーするサービスエリア内における、放送番組の受信品質の分布を表す、受信品質地図を生成する。
【０１０５】
１台の放送基地局装置２には、サービスエリア内を移動する複数の携帯端末装置１から、受信品質データおよび位置データが送信される。各携帯端末装置１は、いずれも、放送基地局装置２のサービスエリア内を移動し、あちこちの場所において、品質データおよび位置データを放送基地局装置２に提供する。したがって、携帯端末装置１は、自局のサービスエリア内における受信品質地図を、時間の経過と共に、より精密に生成できる。
【０１０６】
放送基地局装置２は、生成した受信品質地図を、携帯端末装置１に提供してもよい。すなわち、携帯端末装置１では、ユーザが、受信品質地図データをディスプレイ１４に表示するコマンドを入力する。これにより、携帯端末装置１では、データ通信部２５が、受信品質地図データの送信を放送基地局装置２にリクエストする。このリクエストを受けて、放送基地局装置２では、たとえばデータ通信部２５が、メモリ２６から受信品質地図データを読み出し、通信ネットワーク４を通じて、放送基地局装置２に送信する。携帯端末装置１では、送信された受信品質地図データをデータ通信部１９が受信し、メモリ１１に格納する。
【０１０７】
携帯端末装置１では、たとえば、受信品質通知部１７が、メモリ１１から受信品質地図データを読み出し、このデータが表す受信品質地図を、ディスプレイ１４に表示する。これにより、ユーザは、今現在自分がいる場所の近辺における、放送番組の受信品質を一度に知ることができる。したがって、たとえば、いまの場所における受信品質が悪いとき、どの場所に移動すれば、放送番組の受信品質を向上できるかを知ることができる。
【０１０８】
（受信可能ルート）
携帯端末装置１は、ユーザが移動先の目的地を入力したとき、その目的地まで移動するルートを、ユーザに通知してもよい。このとき、携帯端末装置１は、ユーザが選択した放送番組を良好に視聴し続けることができるルートを、特に推薦するルートとしてユーザに提示できる。この例について以下に説明する。
【０１０９】
（目的地を入力）
受信可能ルートをユーザに通知する携帯端末装置１は、いわゆるナビゲーション機能を有している。ユーザは、移動先の目的地を携帯端末装置１に入力する。この目的地に関する情報は、入力部１０が受け付け、メモリ１１に格納する。このとき、ユーザは、さらに、放送番組を良好に視聴できるルートを提示するように、携帯端末装置１に指示する。
【０１１０】
（品質地図を取得）
この指示を受けた携帯端末装置１では、まず、位置情報取得部１５が、携帯端末装置１の現在の位置を取得する。位置情報取得部１５は、取得した現在の位置に関する情報を、メモリ１１に格納する。このときメモリ１１には、携帯端末装置１の現在の位置を表すデータと、ユーザの目的地を表すデータとが格納されている。そこで受信可能ルート算出部１８は、これら２つのデータをメモリ１１から読み出し、ナビゲーション機能を使用することによって、目的地に最短時間で到着できるルートをまず算出する。この算出方法は、従来公知のものでよい。次に受信可能ルート算出部１８は、算出したルートの各地点において、放送番組を視聴できるか否かを判定する。この判定には、携帯端末装置１の現在の位置から、ユーザが到達する目的地までにおける、受信品質の分布を表す品質地図を使用する。この品質地図は、放送基地局装置２から提供され、メモリ１１に格納されている。ルートの途中のある区間において、受信品質が悪く、放送番組を視聴できないと判定するとき、受信可能ルート算出部１８は、その区間における、次に所要時間の短いルートを、ナビゲーション機能を用いて算出する。新たに算出した区間において、再び、放送番組を視聴できない箇所がないか、判定する。
【０１１１】
このような処理によって、受信可能ルート算出部１８は、携帯端末装置１の現在の位置から、ユーザが到達する目的地まで、放送番組を良好に視聴し続けることができるルートを算出する。受信可能ルート算出部１８が算出したルートに従えば、ユーザは、放送番組を視聴し続けながら、目的地に到着できる。
【０１１２】
受信可能ルート算出部１８が算出する受信可能ルートについて、図８を参照して以下に説明する。図８は、受信可能ルート算出部１８が算出する、受信可能ルートの例を説明する図である。この図において、自動車６に乗車しているユーザが、携帯端末装置１を携帯している。このときユーザは、目的地７まで向かう。携帯端末装置１では、携帯端末装置１の現在の現在の位置を、位置情報取得部１５がＧＰＳ衛星８を通じて取得する。
【０１１３】
このとき携帯端末装置１において、受信可能ルート算出部１８は、放送番組を視聴し続けることができるルートとして、たとえば、ルート６０を算出する。一方、仮にルート６１をまず算出したとき、受信可能ルート算出部１８は、図８に示すように、このルート６１には、放送基地局装置２のサービスエリアから外れて、放送番組を視聴できない箇所があると判定する。これにより、受信可能ルート算出部１８は、放送番組を視聴し続けることができる新たなルートとして、ルート６１を算出する。
【０１１４】
（放送基地局にできるだけ近い受信ルートを算出）
受信可能ルート算出部１８は、放送基地局装置２にできるだけ近い道を通るルートを算出してもよい。具体的には、放送番組の受信品質を最大限高くできるルートを算出する。ユーザがそのルートを選択したとき、移動中に放送番組の受信品質が低下し、放送番組を視聴できなくなるリスクを、最低限にすることができる。
【０１１５】
なお、本発明は、上述した実施形態に限定されるものではなく、請求項に示した範囲で、種々の変更が可能である。すなわち、請求項に示した範囲で適宜変更した技術的手段を組み合わせて得られる実施形態についても、本発明の技術的範囲に含まれる。
【０１１６】
（放送、通信の両方の受信品質を通知）
携帯端末装置１は、放送番組を受信して再生する機能と、データを送受信する機能の両方を備えている。すなわち、携帯端末装置１は、放送と通信の両方に対応した装置である。そこで携帯端末装置１は、放送に関する受信品質と、通信に関する受信品質との両方を、ユーザに通知してもよい。
【０１１７】
通信に関する受信品質をユーザに通知するとき、受信品質測定部１６は、通信に関する受信品質として、データ通信部１９が受信したデータの受信レートまたはエラー率を測定し、これを受信品質として決定する。これにより、受信品質通知部１７は、データ通信部１９が測定した通信に関する受信品質を、ディスプレイ１４に表示することによって、ユーザに通知できる。
【０１１８】
（受信品質の測定）
受信品質測定部１６は、任意の手段によって、放送番組の受信品質を測定すればよい。たとえば、受信品質測定部１６は、放送波の電界強度に基づき、受信品質を測定すればよい。このとき、放送波の電界強度を規格化して、受信品質とすればよい。これ以外にも、受信品質測定部１６は、放送波のＳ／Ｎ比（Ｓｉｇｎａｌ  ｔｏ  Ｎｏｉｓｅ  Ｒａｔｉｏ）、Ｃ／Ｎ比（Ｃａｒｒｉｅｒ  ｔｏ  Ｎｏｉｓｅ  Ｒａｔｉｏ）、受信電力量、受信電解強度、および受信レベルなど、受信した放送波から導き出せる所定のパラメータを、放送番組の受信品質として測定すればよい。
【０１１９】
（端末装置の姿勢を取得、提供）
携帯端末装置１は、受信品質を測定したときの、自装置の傾きを測定してもよい。このとき、携帯端末装置１は、自装置の傾きを測定する、地磁気センサを備える。この地磁気センサが、携帯端末装置１の傾きを検知し、メモリ１１に記憶する。このとき、携帯端末装置１では、データ通信部１９が、受信品質を測定したときの携帯端末装置１の姿勢に関する情報を、放送基地局装置２に通知してもよい。これにより、放送基地局装置２は、品質地図において、各携帯端末装置１の姿勢に関する情報も管理する。
【０１２０】
受信品質通知部１７は、受信品質を最適にできる携帯端末装置１の姿勢を、ユーザに通知してもよい。このとき、携帯端末装置１では、地磁気センサが検知した携帯端末装置１の姿勢と、受信品質測定部１６が測定した放送番組の受信品質とを、互いに関連付けてメモリ１１に記憶している。これにより、受信品質通知部１７は、受信品質が最大になる姿勢を、メモリ１１から読み出し、ユーザに通知する。この通知にしたがい、ユーザは、携帯端末装置１の姿勢を変えることによって、放送番組の受信品質を最適化できる。
【０１２１】
（通信電波の利用）
携帯端末装置１は、たとえば１×ＥＶ−ＤＯ規格に基づき、携帯電話の電波によって送信される番組データを受信してもよい。このとき受信品質測定部１６は、１×ＥＶ−ＤＯ規格の電波強度などを測定することによって、番組の受信品質を測定すればよい。
【０１２２】
（プログラムおよび記録媒体）
最後に、携帯端末装置１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１２３】
すなわち、携帯端末装置１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄａｍ  Ａｃｃｅｓｓ  Ｍｅｍｏｒｙ）、および、上記制御プログラムおよび各種データを格納するメモリ等の記憶装置（記録媒体）を備えている。
【０１２４】
この構成により、本発明の目的は、所定の記録媒体によっても、達成できる。この記録媒体は、上述した機能を実現するソフトウェアである携帯端末装置１の制御プログラムのプログラムコード（実行形式プログラム、中間コードプログラム、ソースプログラム）をコンピュータで読み取り可能に記録していればよい。携帯端末装置１に、この記録媒体を供給する。これにより、コンピュータとしての携帯端末装置１（またはＣＰＵやＭＰＵ）が、供給された記録媒体に記録されているプログラムコードを読み出し、実行すればよい。
【０１２５】
プログラムコードを携帯端末装置１に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１２６】
また、携帯端末装置１を、通信ネットワークと接続可能に構成しても、本発明の目的を達成できる。この場合、上記のプログラムコードを、通信ネットワークを介して携帯端末装置１に供給する。この通信ネットワークは、携帯端末装置１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１２７】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【０１２８】
なお、本発明は、上記プログラムコードが電子的な伝送で具現化された、搬送波に埋め込まれたコンピュータデータ信号の形態でも実現され得る。
【０１２９】
本発明は、放送されている放送番組を受信し、再生できる携帯端末装置として、広く利用できる。
【図面の簡単な説明】
【０１３０】
【図１】本発明の一実施形態に係る放送システムの詳細を示すブロック図である。
【図２】放送番組に適用される伝送モードと、放送波が到達できる最大距離との関係を表す図である。
【図３】放送基地局装置が送信する個々の放送番組と、放送番組に適用される伝送モードと、放送番組に設定されている基準品質との関係を表す図である。
【図４】携帯端末装置が、放送番組の受信品質を測定し、ユーザに通知するときの処理の流れの一例を示すフローチャートである
【図５】画面の周囲を、受信品質を表す色に表示する例を示す図である。
【図６】携帯端末装置が、電子番組表に格納されている、個々の放送番組の基準品質に基づき、各放送番組の受信品質を予測し、ユーザに通知するときの処理の流れの一例を示す図である。
【図７】受信品質通知部がディスプレイに表示する電子番組表の例を示す図である。
【図８】受信可能ルート算出部が算出する、最適受信ルートの例を説明する図である。
【符号の説明】
【０１３１】
１    携帯端末装置
２    放送基地局装置
３    通信基地局装置
４    放送番組提供センター
５    通信ネットワーク
１０  入力部
１１  メモリ
１２  放送波受信部
１３  番組処理部
１４  ディスプレイ
１５  位置情報取得部（位置情報取得手段）
１６  受信品質測定部（受信品質測定手段）
１７  受信品質通知部（受信品質通知手段、受信品質予測手段）
１８  受信可能ルート算出部（受信品質予測手段）
１９  データ通信部（受信品質提供手段、電子番組表取得手段）
２１  放送番組取得部
２２  放送番組変調部
２３  放送波送信部
２４  放送アンテナ
２５  データ通信部（受信品質取得手段）
５０  放送システム
【図１】
0004485438.tif 000002
【図２】
0004485438.tif 000003
【図３】
0004485438.tif 000004
【図４】
0004485438.tif 000005
【図５】
0004485438.tif 000006
【図６】
0004485438.tif 000007
【図７】
0004485438.tif 000008
【図８】
0004485438.tif 000009